(57)【要約】【課題】保温工程を自動的に終了する時刻または切れるまでの時間を設定し、その時刻になると保温が自動的に切れる保温自動切手段を設けた。【解決手段】表示部１０を有した操作パネル７と、内釜２を加熱する加熱手段４と、現在時刻を管理する時計手段６を有し加熱手段４を制御して炊飯から保温へと炊飯の各工程を自動で移行する制御手段５とを備え、制御手段５には、設定された時刻に保温工程を終了させる保温自動切手段１１を設け、操作パネル７には、保温工程時に入力することで保温自動切手段１１を起動する操作手段８と、保温自動切手段１１によって前記保温工程を終了する時刻を設定する変更操作手段９とを設け、保温自動切手段１１が起動した時には、表示部１０に前記保温工程を終了する時刻を表示し、時計手段６によって管理されている現在時刻が前記保温工程を終了する時刻になると保温自動切手段１１によって前記保温工程が自動的に終了する。【選択図】  図２
2013220119.tif 000002
【特許請求の範囲】
【請求項１】
本体と、該本体に収納される内釜と、前記本体の上部開口を覆う蓋と、表示部を有した操作パネルと、前記内釜を加熱する加熱手段と、現在時刻を管理する時計手段を有し前記加熱手段を制御して炊飯から保温へと炊飯の各工程を自動で移行する制御手段とを備え、
該制御手段には、設定された時刻に保温工程を終了させる保温自動切手段を設け、
前記操作パネルには、前記保温工程時に入力することで前記保温自動切手段を起動する操作手段と、前記保温自動切手段によって前記保温工程を終了する時刻を設定する変更操作手段とを設け、
前記保温自動切手段が起動した時には、前記表示部に前記保温工程を終了する時刻を表示し、前記時計手段によって管理されている現在時刻が前記保温工程を終了する時刻になると前記保温自動切手段によって前記保温工程が自動的に終了することを特徴とするジャー炊飯器。
【請求項２】
請求項１記載のジャー炊飯器において、
前記保温自動切手段を起動した後に、前記変更操作手段によって設定した前記保温工程の終了する時間を、前記保温工程の終了する時刻に変更する時刻計算部を備えたことを特徴とするジャー炊飯器。
【発明の詳細な説明】
【技術分野】
【０００１】
本発明は、保温機能を有するジャー炊飯器において、保温を自動的に切る機能に関するものである。家族の帰宅時刻の違いなど食事時刻の相違から保温している場合において、帰宅時刻を超過して長い時間保温してしまい、電気エネルギーを無駄に消費してしまうことを防ぐものである。
【背景技術】
【０００２】
従来この種の炊飯器においては、特許文献１のごとく保温する期間を時間で設定して、設定時間が経過した後に自動的に保温を切る機能が知られている。
【先行技術文献】
【特許文献】
【０００３】
【特許文献１】特許第４０１５９３２号公報
【発明の概要】
【発明が解決しようとする課題】
【０００４】
特許文献１では、保温中に保温処理の実行時間を設定するのに、表示手段を見ながら行い、設定後は切れるまでの残り時間を表示手段に減算表示し、保温処理の実行時間が経過すると保温処理が停止して切り状態となる。
【０００５】
しかしながら、近年のジャー炊飯器においては時計機能を有し、炊飯の炊き上がり予約も何時間後に炊き上げるかの設定でなく、炊き上げたい時刻を設定する方法が一般的である。時刻を設定した方が食事の時刻など生活のパターンに合わせて判断でき、利便性が高いために普及している。
【０００６】
同様に保温を切る機能においても何時間後に切れるか残り時間を知らせるよりも、切れる時刻を使用者に知らせる方が利便性が高い。
【０００７】
また、残り時間の減算表示は表示が常時更新されていくため、出来上がりまでの数分を使用者が待っている際には便利な表示方法であるが、保温が自動で切れる時刻を現在の時刻と残り時間から計算せねばならない。
【課題を解決するための手段】
【０００８】
かかる問題を解決するため、本発明では、本体と、該本体に収納される内釜と、前記本体の上部開口を覆う蓋と、表示部を有した操作パネルと、前記内釜を加熱する加熱手段と、現在時刻を管理する時計手段を有し前記加熱手段を制御して炊飯から保温へと炊飯の各工程を自動で移行する制御手段とを備え、該制御手段には、設定された時刻に保温工程を終了させる保温自動切手段を設け、前記操作パネルには、前記保温工程時に入力することで前記保温自動切手段を起動する操作手段と、前記保温自動切手段によって前記保温工程を終了する時刻を設定する変更操作手段とを設け、前記保温自動切手段が起動した時には、前記表示部に前記保温工程を終了する時刻を表示し、前記時計手段によって管理されている現在時刻が前記保温工程を終了する時刻になると前記保温自動切手段によって前記保温工程が自動的に終了するものである。
【０００９】
また、前記保温自動切手段を起動した後に、前記変更操作手段によって設定した前記保温工程の終了する時間を、前記保温工程の終了する時刻に変更する時刻計算部を備えたものである。
【発明の効果】
【００１０】
本発明によれば、保温中に保温を自動で切る時刻、または切れるまでの時間を操作手段と変更操作手段によって設定すると、保温中は保温が切れる時刻を表示し続け、その時刻になると保温が自動的に切れるようにしたので、設定時においても、保温中においても保温が切れる時刻が分かるので生活のパターンに合わせて判断でき、利便性が高い。
【００１１】
保温中は常に設定した保温を自動で切る時刻を表示しているので、保温中に切れる時刻を確認する際に現在時刻と残り時間から計算する必要がなく、設定時に切れる時刻が明確になっているため、残り時間を確認する必要もない。  
表示残り時間が常に更新されて表示が変わる繁雑さもない。
【図面の簡単な説明】
【００１２】
【図１】一実施例の炊飯器の断面を示す図である。
【図２】一実施例の操作部と表示部の操作の流れを示す図である。
【図３】別の一実施例の操作部と表示部の操作の流れを示す図である。
【発明を実施するための形態】
【００１３】
以下、本発明の一実施例について添付図面を用いて詳細に説明する。  
まず、図１の断面図において、本体１には内釜２が収納され、本体１の上部開口を蓋３が覆う。本体１には内釜２を加熱する加熱手段４と、加熱手段４を制御する制御手段５と、本体１には操作パネル７が設けられ、該操作パネル７には、後述する操作手段８と後述する変更操作手段９と表示部１０が設けられている。
【００１４】
制御手段５には、現在の時刻を管理する時計手段６と、該時計手段６の時計管理機能による時刻管理によって、保温工程を設定された時刻に終了させる保温自動切手段１１を備えている。
【００１５】
また、加熱手段４を制御して被加熱物であるお米を炊く炊飯工程と、炊きあがったご飯を保温する保温工程へと自動に移行する。
【００１６】
操作手段８（保温ボタン）は、炊飯後にご飯を保温している保温工程時に操作することで保温自動切手段１１を設定するものである。
【００１７】
そして、変更操作手段９によって、保温自動切手段１１に設定する保温工程を終了する時刻を設定するものである。
【００１８】
保温自動切手段１１は、変更操作手段９によって設定された時刻を表示部１０に表示し、設定して表示している時刻と時計手段６で管理している現在時刻と一致、または超過すると保温工程を終了して切り状態とする動作を行う。
【００１９】
以上の構成において、図２において、まず図２（１）は保温動作中の状態を示す図である。この保温動作中に操作手段８（保温ボタン）を操作すると、表示部１０は図２（２）の状態となり、保温を自動的に切る時刻が表示される。また、操作手段８（保温ボタン）を操作したことで保温自動切手段１１が動作し、保温自動切手段１１が動作したことを示す「保温自動切」と、自動的に保温が切れる時刻「２１：３０」が表示部１０に表示される。
【００２０】
表示される時刻は前回設定した時刻を記憶しておいたものでも良いし、操作時刻から一定時間を加算した時刻でも良い。使用者はその時刻の変更の必要がなければそのままでも良いし、時刻を変更したい場合は変更操作手段９で図２（３）の「２２：３０」のように時刻を変更する。
【００２１】
表示している時刻は、変更操作手段９で時刻を変更しないかぎり保温中そのまま表示され続け、時計手段６がその時刻になると保温自動切手段１１によって保温が自動で切れ、切り状態になる。
【００２２】
また図３に示す別の実施例として、図３（１）の保温動作中に操作手段８（保温ボタン）を操作すると、図３（２）のように表示部１０に保温を自動的に切るまでの時間が表示される。具体的には保温自動切手段１１が動作したことを示す「保温自動切」と、自動的に切れるまでの時間「２：３０」と「時間後」が表示部１０に表示される。
【００２３】
表示される時間は、前回設定した時間を記憶しておいたものでも良いし、一定の時間でも良い。使用者はその時間の変更の必要がなければそのままでも良いし、時間を変更したい場合は変更操作手段９で時間を変更する。
【００２４】
使用者が操作を停止してから３０秒経過すると設定した時間から保温を自動で切る時刻を時刻計算部１２で計算し、図３（３）のように表示部１０に切れる時刻を表示する。表示している時刻は変更操作手段９で時刻を変更しないかぎり保温中そのまま表示され続け、時計手段６がその時刻になると保温自動切手段１１によって保温が自動で切れ、切り状態になる。
【００２５】
以上のように構成したので、保温中に保温を自動で切る時刻が設定時、保温中に表示部に表示し続け、保温が切れる時刻が分かるので、次回の食事の時刻、家族の帰宅時刻など、生活のパターンに合わせて判断でき、利便性が高い。
【００２６】
また、保温中は常に設定した保温を自動で切る時刻を表示しているので、保温中に切れる時刻を確認する際に現在時刻と残り時間から計算する必要がなく、設定時に切れる時刻が明確になっているため、残り時間を確認する必要もない。
【００２７】
さらに、表示残り時間が常に更新されて表示が変わる繁雑さもなく、保温を設定した時刻に自動的に切ることができ、無駄に長く保温して電気エネルギーを消費することがない。
【符号の説明】
【００２８】
１  本体
２  内釜
３  蓋
４  加熱手段
５  制御手段
６  時計手段
７  操作パネル
８  操作手段
９  変更操作手段
１０  表示部
１１  保温自動切手段
１２  時刻計算部
【図１】
2013220119.tif 000003
【図２】
2013220119.tif 000004
【図３】
2013220119.tif 000005